(57)【要約】【課題】鍵を用いないでＩＣカード等のＩＤコードで解錠できる貸しロッカーシステムにおいて、一定期間内で任意に利用可能にし、定期契約期間中は料金を支払わないで常時頻繁に行うような場合に便利にして、利用者へのサービス向上をはかる。【解決手段】ロッカーボックス２に荷物を入れてロッカー扉２ａを押すことにより、ロッカー扉２ａを施錠する。ＩＣカードＣｄのＩＤコードを集中制御装置１で受信し、認証してロッカー扉２ａを解錠する。利用者のＩＣカードＣｄのＩＤコードを管理会社に登録し、定期契約を行う。管理者が管理者モードで集中制御装置１にＩＤコードを登録し、一定期間、その利用者のＩＣカードＣｄのＩＤコードのみで、ロッカーボックス２の施錠及び解錠を可能にする。【選択図】図１
2007102274.tif 000002
【特許請求の範囲】
【請求項１】
複数のロッカーボックスと該ロッカーボックスの施解錠を制御する制御手段を備え、鍵を使用しないで解錠用番号の照合によりロッカーボックスを解錠するようにした貸しロッカーシステムにおいて、
前記制御手段は、前記複数のロッカーボックスのうちの任意のまたは所定のロッカーボックスについて、設定された一定期間内は当該ロッカーボックスに対応する前記解錠用番号を記憶しており、該一定期間内に該解錠用番号により該ロッカーボックスの施錠及び解錠を可能としたことを特徴とする貸しロッカーシステム。
【請求項２】
前記制御手段は、携帯用送信手段が有するＩＤコードを解錠用番号とし、複数の携帯用送信手段のＩＤコードを記憶しており、該ＩＤコードによりロッカーボックスの施錠及び解錠を制御することを特徴とする請求項１に記載の貸しロッカーシステム。
【請求項３】
前記携帯用送信手段がＩＣカードまたは携帯電話機であり、前記解錠用番号はＩＣカードのＩＤコードまたは携帯電話機の電話番号であることを特徴とする請求項２に記載の貸しロッカーシステム。
【請求項４】
前記解錠用番号が利用者の情報とともに登録及び管理されるものであることを特徴とする請求項１乃至３のいずれか一項に記載の貸しロッカーシステム。
【発明の詳細な説明】
【技術分野】
【０００１】
本発明は、例えば駅構内等に設置され、複数の利用者にロッカーボックスを利用可能とした貸しロッカーシステムに関する。
【背景技術】
【０００２】
従来、貸しロッカーシステムとしてプリペードカードを用いて利用できるものが例えば特開２００１−１５５２４９号公報に開示されている。このロッカーシステムは、ロッカー使用時にプリペードカードをカードリーダに挿入し、そのプリペードカードからロッカー利用料金を引き落としでロッカーを利用できるようにしたものである。
【０００３】
また、例えば特開２００１−３２５６６０号公報に開示されているように、携帯電話機からのＩＤ情報や入力した暗証番号等により一時預かりボックスの解錠を制御するものがある。このようなロッカー装置では鍵などを保管する必要がなく、また、鍵の紛失や盗難などによる不都合も回避できるという利点があり、広く普及している。
【特許文献１】特開２００１−１５５２４９号公報
【特許文献２】特開２００１−３２５６６０号公報
【発明の開示】
【発明が解決しようとする課題】
【０００４】
しかしながら、前記のように鍵などを必要としないロッカー装置でも、従来のコインロッカーのように荷物の一時預かり等の利用形態にとどまっており、利用者へのサービスという点で改良の余地がある。
【０００５】
本発明は、鍵を使用しないで解錠用番号により解錠を行うようにした貸しロッカーシステムにおいて、通常のロッカーの利用形態の他に、多機能な利用を可能とし、利用者の利便性を図り、利用者へのサービスを向上させることを課題とする。
【課題を解決するための手段】
【０００６】
請求項１の貸しロッカーシステムは、複数のロッカーボックスと該ロッカーボックスの施解錠を制御する制御手段を備え、鍵を使用しないで解錠用番号の照合によりロッカーボックスを解錠するようにした貸しロッカーシステムにおいて、前記制御手段は、前記複数のロッカーボックスのうちの任意のまたは所定のロッカーボックスについて、設定された一定期間内は当該ロッカーボックスに対応する前記解錠用番号を記憶しており、該一定期間内に該解錠用番号により該ロッカーボックスの施錠及び解錠を可能としたことを特徴とする。
【０００７】
請求項１の貸しロッカーシステムにおいて、利用者は一つのロッカーボックスを、そのロッカーボックスに対応して記憶された解錠用番号により、定期契約した一定期間内で任意に利用することができる。なお、この一定期間としては、例えば１週間から数ヶ月などの長期期間が適している。また、この定期契約期間中は料金を支払わないで利用できるので、荷物の預け入れ及び取り出しを常時頻繁に行うような場合に便利である。
【０００８】
請求項２の貸しロッカーシステムは、請求項１に記載の貸しロッカーシステムであって、前記制御手段は、携帯用送信手段が有するＩＤコードを解錠用番号とし、複数の携帯用送信手段のＩＤコードを記憶しており、該ＩＤコードによりロッカーボックスの施錠及び解錠を制御することを特徴とする。
【０００９】
請求項２の貸しロッカーシステムによれば、請求項１の作用効果に加えて、携帯用送信手段からＩＤコードを送信してロッカーボックスの施錠及び解錠を行えるので、操作が簡単になる。
【００１０】
請求項３の貸しロッカーシステムは、請求項２に記載の貸しロッカーシステムであって、前記携帯用送信手段がＩＣカードまたは携帯電話機であり、前記解錠用番号はＩＣカードのＩＤコードまたは携帯電話機の電話番号であることを特徴とする。
【００１１】
請求項３の貸しロッカーシステムによれば、請求項２の作用効果に加えて、携帯用送信手段としてＩＣカードを用いると、例えば駅の自動改札等でＩＤコードを発信して改札を済ませるのに用いるカード型のプリペイドカード（例えば「Ｓｕｉｃａ」（商標））を用いることができ、特に貸しロッカーシステムは駅構内等に設置することが多いので、利用者が利用し易くなる。また、携帯用送信手段として携帯電話機を用いると、近年広く普及している携帯電話機でロッカーボックスを使用できるので、利用者が利用し易くなる。
【００１２】
請求項４の貸しロッカーシステムは、請求項１乃至３のいずれか一項に記載の貸しロッカーシステムであって、前記解錠用番号が利用者の情報とともに登録及び管理されるものであることを特徴とする。
【００１３】
請求項４の貸しロッカーシステムによれば、請求項１乃至３のいずれか一項の作用効果に加えて、管理会社側でＩＣカードのＩＤコードや携帯電話機の電話番号とともに利用者の住所氏名等の利用者の情報を管理して、定期契約期間という長期間使用する場合のロッカーボックスの不正使用を防止できる。
【発明の効果】
【００１４】
請求項１の貸しロッカーシステムによれば、利用者は一つのロッカーボックスを、定期契約した一定期間内で任意に利用することができ、利用者の利便性を図ることができる。また、定期契約期間中は料金を支払わないで、例えば契約時の定額の料金でロッカーを利用できるので、日常利用する駅や施設等のロッカーシステムにおいて、荷物の預け入れ及び取り出しを常時頻繁に行うような場合に便利である。
【００１５】
請求項２の貸しロッカーシステムによれば、請求項１の効果に加えて、ロッカーボックスの施錠及び解錠を行う際の操作が簡単になる。
【００１６】
請求項３の貸しロッカーシステムによれば、請求項２の効果に加えて、ＩＣカードや携帯電話機等を使用できるので、利用者が利用し易くなる。
【００１７】
請求項４の貸しロッカーシステムによれば、請求項１乃至３のいずれか一項の効果に加えて、定期契約期間という長期間使用する場合の不正使用等を防止できる。
【発明を実施するための最良の形態】
【００１８】
次に、本発明の貸しロッカーシステムの実施形態を図面を参照して説明する。図１は実施形態の貸しロッカーシステムの外観正面図である。このシステムは「制御手段」としての集中制御装置１とその両側にそれぞれ複数のロッカーボックス２を配置したものである。集中制御装置１の内部には、レシートを発行するためのプリンタ１ａ、タッチパネル付きＬＣＤ表示器１ｂ、非接触ＩＣカードＣｄからの電波を受信するカードリーダ１ｃ、携帯電話機Ｔからの赤外線を受信する赤外線モジュール１ｄ、紙幣の鑑別を行う紙幣鑑別機１ｅ、硬貨の識別を行う検銭機１ｆが配設されている。
【００１９】
集中制御装置１のパネル面には、プリンタ１ａからレシートを排出するためのレシート出口１ａ１、ＬＣＤ表示器１ｂの表示窓となる操作表示部１ｂ１、カードリーダ１ｃで電波の送受信を行うアンテナ部１ｃ１、赤外線モジュール１ｄで赤外線を受信する赤外線受信部１ｄ１、紙幣鑑別機１ｅに紙幣を投入するための紙幣投入口１ｅ１、検銭機１ｆに硬貨を投入するための硬貨投入口１ｆ１、検銭機１ｆから硬貨を返却するための硬貨返却口１ｆ２、及び硬貨返却レバー１ｇが配設されている。また、各ロッカーボックス２は、ロッカー扉２ａの内部に集中制御装置１からの制御信号に基づいてロッカー扉２ａを施解錠する錠装置２ｂ、ロッカー扉２ａの開閉状態を検出する扉開閉スイッチ２ｃ、ロッカー扉２ａに配設された状態表示用ＬＥＤ２ｄをそれぞれ備えている。
【００２０】
図２は集中制御装置１の要部ブロック図である。集中制御装置１はマイクロコンピュータで構成された制御ユニット（制御部）１００と電源１００Ａを備えており、制御ユニット１００にはプリンタ１ａ、ＬＣＤ表示器１ｂ、カードリーダ１ｃ、赤外線モジュール１ｄ、紙幣鑑別機１ｅ、検銭機１ｆ、各ロッカーボックス２の各錠装置２ｂが接続されている。また、錠装置２ｂには図示しない基板を介して、扉開閉スイッチ２ｃ、状態表示用ＬＥＤ２ｄがそれぞれ接続されている。制御ユニット１００は、プリンタ１ａへの印字データの出力、ＬＣＤ表示器１ｂへの表示データの出力と操作状態の検出を行う。
【００２１】
また、制御ユニット１００は、カードリーダ１ｃ、赤外線モジュール１ｄ、紙幣鑑別機１ｅ及び検銭機１ｆからのデータの入力や紙幣や硬貨の鑑別状態を検出する。さらに、制御ユニット１００は、錠装置２ｂを介して、扉開閉スイッチ２ｃの操作状態を検出するとともに、状態表示用ＬＥＤ２ｄの駆動制御を行う。そして、制御ユニット１００は後述の制御プログラムに基づいて貸しロッカーシステムの制御を行う。制御ユニット１００は、各ロッカーボックス２に対応して該ロッカーボックス２の各種の情報をメモリやレジスタで記憶するメモリ１１０を備えており、このメモリ１１０に、利用状態での「解錠用番号」としての暗証番号、ＩＣカードのＩＤコード、携帯電話機のＩＤコード等をロッカー番号に対応して記憶する。また、定期契約の場合には、管理者モードにより登録された複数のＩＤコード、あるいは定期契約を行った利用者が「定期初期」の処理により登録した複数のＩＤコードも、ロッカー番号に対応して記憶する。
【００２２】
このロッカーシステムの各ロッカーボックス２のうち、特定のロッカーボックス２は定期契約利用のためのものとして予め決められており、そのロッカーボックスは施錠状態（使用中）となっている。利用者が定期契約でロッカーを利用する場合、例えば管理会社の窓口等で申し込みをする。このとき利用者はＩＣカードを持参し、このＩＣカードのＩＤコードを管理会社に登録し、利用期間、利用料金等に応じた契約を行う。この契約のときに管理会社側では利用者の住所氏名等の利用者の情報も提示を受け、この利用者の情報をＩＤコードとともに登録し管理する。管理者はロッカーシステムで管理者モードに入り、利用者と契約したロッカーボックを対象として利用者のＩＤコードを登録する。このとき、契約時に複数のＩＤコードを登録するように設定した場合には、その複数のＩＤコードをロッカーボックスに対応して登録する。なお、実施形態では利用者が後で他のＩＤコードを登録することもできる。
【００２３】
この実施形態では、操作形態の異なる第１〜第３モード及び管理者モードを選択することができる。第１モードでは現金投入による施錠及び暗証番号の発行を行い、暗証番号による解錠を行う。第２モードでは非接触ＩＣカードＣｄのＩＤコードにより施錠及び解錠を行う。第３モードでは携帯電話機ＴのＩＤコードにより施錠及び解錠を行う。管理者モードは、管理者が使用する管理者ＩＣカードの管理者ＩＤにより、該管理者モードの処理に入ることができる。
【００２４】
以下、主に第２モードの処理について説明する。なお、通常利用のロッカーボックス２は、空き状態（非使用状態）のときは、錠装置２ｂは解錠状態で状態表示用ＬＥＤ２ｄが緑色に点灯されている。一方、定期契約用に設定されているロッカーボックス２は、錠装置２ｂが施錠状態で状態表示用ＬＥＤ２ｄは使用中の赤色に点灯されている。また、操作表示部１ｂ１の初期画面には、「預け入れ」、「取り出し」、「定期初期」等の表示が行われている。利用者は、空き状態のロッカーボックス２に荷物を収納してロッカー扉２ａを閉めると扉開閉スイッチ２ｃでロッカー扉２ａの閉状態が検出され、錠装置２ｂは仮施錠されて状態表示用ＬＥＤ２ｄが赤色で点滅する。次に、操作表示部１ｂ１のタッチパネルを操作して、「預け入れ」または「取り出し」の所望の処理を選択する。この場合は「預け入れ」を選択すると、操作表示部１ｂ１には利用料金（金額）が表示されるとともに、「暗証番号」、「ＩＣカード」、「携帯電話」の表示によりモードを選択するように案内が表示されるので、操作表示部１ｂ１のタッチパネルを操作してモードを選択する。
【００２５】
第１モード（暗証番号）では、利用者が「預け入れ」及び「暗証番号」を選択すると、、操作表示部１ｂ１に利用料金を投入するように案内する表示が行われる。硬貨投入口１ｆ１から硬貨（例えば１００円硬貨）を投入するか、紙幣投入口１ｅ１から紙幣を投入すると錠装置２ｂが施錠（本施錠）され、状態表示用ＬＥＤ２ｄが赤色の点灯に変わり、レシートと領収書が発行される。このレシートには、解錠用の例えば６桁の暗証番号、ロッカー番号、ロッカー装置が配置されている場所（ロケーション情報）、利用日時等の各種のロッカー情報が印字されている。
【００２６】
解錠操作をするときは、操作表示部１ｂ１の初期画面で「取り出し」を選択するとともに、次の画面で「暗証番号」（第１モード）を選択する。そして、操作表示部１ｂ１からレシートに印字されている暗証番号を入力し、暗証番号が認証されると、時間超過による超過料金が発生している場合は、操作表示部１ｂ１に追加の料金投入を案内する表示が行われ、追加の料金を硬貨投入口１ｆ１あるいは紙幣投入口１ｅ１から投入すると、プリンタ１ａによりレシート及び領収書が発行されるとともに、錠装置２ｂが解錠され、状態表示用ＬＥＤ２ｄが赤の点滅となる。
【００２７】
第２モード（ＩＣカード）では、「預け入れ」及び「ＩＣカード」を選択すると、操作表示部１ｂ１にＩＣカードＣａを集中制御装置１のアンテナ部１ｃ１にかざすように促す表示が行われる。そこで、利用者が非接触ＩＣカードＣａを集中制御装置１のアンテナ部１ｃ１にかざすと、その非接触ＩＣカードＣａのＩＤコードとチャージデータが集中制御装置１側で読み取られる。そして、チャージデータの金額が利用料金以上であれば、そのチャージデータから利用料金を引き落としてチャージデータが書き換えられ、レシートが発行されるとともに錠装置２ｂが本施錠される。状態表示ＬＥＤ２ｄは前記同様に赤色の点灯に変わり、使用状態を表示する。なお、チャージデータの金額が料金不足の場合は、仮施錠が解錠される。
【００２８】
また、解錠操作をするときは、操作表示部１ｂ１で「ＩＣカード」を選択し、非接触ＩＣカードＣａのＩＤコード、チャージデータを読み取らせる。ＩＤコードが認証されると、前記第１モードと同様に、超過料金等の処理が行われる。
【００２９】
なお、第３モード（携帯電話）の場合は、「預け入れ」及び「携帯電話」の選択で預け入れ処理を行い、「取り出し」及び「携帯電話」の選択で取り出し処理を行うが、これらの処理は、第２モードにおけるＩＤコードの認証とチャージデータからの料金の引き落としに代えて、電話番号等のＩＤコードの認証処理と課金処置を行う処理であり、詳細な説明は省略するが細部の処理は第２モードと同様である。
【００３０】
各モードにおいて、施錠／解錠の対象とするロッカーボックス２は、暗証番号（第１モード）、非接触ＩＣカードＣａのＩＤコード（第２モード）、携帯電話機Ｔの電話番号（第３モード）などの「解錠用番号」にそれぞれ対応付けられており、解錠操作のとき、集中制御装置１において、これらの解錠用番号を確認し、認証されれたその解錠用番号に対応する対象ロッカーボックス２を特定し、解錠を行っている。
【００３１】
また、初期画面の状態で管理者ＩＣカードをアンテナ部１ｃ１にかざすと、その管理者ＩＤが集中制御装置１側で読み取られ、認証されると管理者モードとなる。そして、この管理者モードでは、定期契約をしたロッカーボックス２に対して、契約した利用者のＩＤコードを「解錠用番号」として登録する処理を行う。また、その他、売上げ集計、ボックス内容点検、強制解錠、強制施錠、別途保管、新規受付禁止設定等の各種の処理を行うこともできる。
【００３２】
図３は集中制御装置１の制御ユニット１００における制御プログラムのメイン処理の要部フローチャート、図４は定期契約の利用開始時に行う定期初期処理の要部フローチャート、図５は預け入れ処理の要部フローチャート、図６は取り出し処理の要部フローチャートであり、同フローチャートを参照しながら動作を説明する。なお、メイン処理は、各ロッカーボックス２の全ての錠装置２ｂをサイクリックに走査して、各ロッカーボックス２毎の処理を行う。また、制御ユニット１００は、各ロッカーボックス２（錠装置２ｂ）毎に、各種の状態を記憶するためのレジスタやフラグ等を用いている。例えば、各ロッカーボックス２について、そのロッカーボックス２の利用開示時間（日時、時刻）を記録するレジスタや、そのロッカーボックス２が定期契約で定期契約中（契約期間内）か否かを示すフラグを用いている。そして、各ロッカーボックス２について利用開始時間を記憶しておき、制御ユニット１００の内部のカレンダー付き時計による現在時刻と利用開始時間とを比較して、定期契約期間内であるかを判定する。そして、定期契約期間を過ぎた場合、定期契約中フラグをリセットし、定期契約を解除する。また、管理者モードの設定後に定期契約期間になると、定期契約中フラグをセットする。
【００３３】
図３のメイン処理では、ステップＳ１で操作表示部１ｂ１に「預け入れ」、「取り出し」、「定期初期」の処理を選択する初期画面を表示し、ステップＳ２で扉スイッチ２ｃのＯＮイベントの有無を判定する。このＯＮイベントとはスイッチのＯＮ状態であるか否かではなく、ＯＮとなったことが発生しているか否かという意味である。ＯＮイベントが無ければステップＳ５に進み、ＯＮイベントが有ればステップＳ３で、そのＯＮイベントが有ったロッカーボックス２が定期契約であるか（２回目以降の預け入れ）であるか否かを判定する。そして、定期契約でなければステップＳ４で対応する錠装置２ｂを仮施錠してステップＳ５に進み、定期契約であればステップＳ１３で錠装置２ｂを本施錠してステップＳ１１に進む。このステップＳ１３の本施錠は、定期契約中の取り出し後の施錠操作に対応している。
【００３４】
ステップＳ５では、操作表示部１ｂ１の画面操作が有るかを判定し、画面操作が有ればステップＳ６に進み、画面操作が無ければステップＳ２に戻る。なお、画面操作が無ければステップＳ２→Ｓ５→Ｓ２を繰り返すが所定時間内に操作が無ければ仮施錠を解錠する。ステップＳ６では「定期初期」が選択されたかを判定し、「定期初期」が選択されればステップＳ７で図４の定期初期処理を行ってステップＳ１１に進む。「定期初期」が選択されていなければ、ステップＳ８で「預け入れ」か「取り出し」の何れが選択されたかを判定し、「預け入れ」が選択されればステップＳ９で図５の預け入れ処理を行い、「取り出し」が選択されればステップＳ１０で図６の取り出し処理を行う。そして、ステップＳ１１に進む。ステップＳ１１では、定期契約期間を過ぎたロッカーボックスが有れば、そのロッカーボックスに対応する定期契約中フラグをリセットして定期契約を解除し、ステップＳ１２で定期契約期間となったロッカーボックスに対応する定期契約中フラグをセットし、ステップＳ２に戻る。このステップＳ１２の処理は、管理者モードでＩＤコードの登録等を行う処理は定期契約期間前でありその後に定期期間になるからである。
【００３５】
図４の定期初期処理では、ステップＳ２１で、ＩＣカードからのＩＤコードの読み取りが有るのを監視し、読み取りが有ればステップＳ２２に進む。ステップＳ２２では読み取ったＩＤコードを確認し、ステップＳ２３でそのＩＤコードが定期契約のものであるかを判定する。定期契約のＩＤコードでなければ元のルーチンに復帰し、定期契約のＩＤコードであれば、ステップＳ２４で新規のＩＤコードを登録するかの指定が有るかを判定し、登録する指定が無ければステップＳ２６に進み、登録する指定が有れば、ステップＳ２５で新規のＩＤコードを登録する処理を行ってステップＳ２６に進む。この新規登録の処理は、別のＩＣカードからＩＤコードを読み取らせて順次ＩＤコードを登録する処理や、ＩＤコードを操作表示部１ｂ１で直に入力する処理などを行う。これらの入力されたＩＤコードは当該定期契約のロッカーボックスに対応してメモリ１１０記憶されることはいうまでもない。また、このとき追加登録したＩＤコードの数（個数）に応じた追加料金の支払い等の処理を行ってもよい。
【００３６】
ステップＳ２６では、確認のために対応するロッカーボックス２のロッカー番号を操作表示部１ｂ１に表示し、ステップＳ２７で錠装置２ｂを解錠してステップＳ２８に進む。この解錠処理は、定期契約で利用するロッカーボックス２は施錠待機状態となっているための処理である。なお、通常に利用するロッカーボックスは解錠待機となっており、荷物を預けてロッカー扉２ａを押したときに仮施錠となる。次に、ステップＳ２８では、当該処理を行っている定期契約のロッカーボックスの扉スイッチ２ｃのＯＮイベントの有無を監視し、ＯＮイベントが検出されるとステップＳ２９で錠装置２ｂを本施錠して元のルーチンに復帰する。これにより、定期契約時の最初の荷物の預け入れに対する処理が行われる。
【００３７】
図５の預け入れ処理では、ステップＳ３１で仮施錠状態のロッカーボックスが有るかを判定し、有ればステップＳ３３に進み、無ければステップＳ３２で定期契約中のロッカーボックスが有るかを判定する。定期契約中のロッカーボックスが無ければ元のルーチンに復帰し、有ればステップＳ３３にすすむ。ステップＳ３３では、操作表示部１ｂ１に「暗証番号」、「ＩＣカード」、「携帯電話」の表示によるモード選択画面を表示し、ステップＳ３４で操作表示部１ｂ１での画面操作を監視する。なお、所定時間内に操作が無ければ仮施錠を解錠して元のルーチンに復帰する。
【００３８】
画面操作が有ると（モードが選択されると）、ステップＳ３５で第１〜第３モードのいずれのモードが選択されたかを判定する。第１モードが選択されればステップＳ３６で暗証番号の処理を行い、第２モードが選択されればステップＳ３７〜Ｓ４７でＩＣカード処理を行い、第３モードが選択されればステップＳ４９で携帯電話の処理を行う。
【００３９】
なお、ステップＳ３６の第１モードの暗所番号処理では、利用料金の支払いにより、暗証番号やロケーション等を印字したレシートを発行し、本施錠する等の処理を行う。また、ステップＳ４９の第３モードの携帯電話処理では、携帯電話機ＴのＩＤコードの受信、チャージデータ、電話番号等を確認してチャージデータの金額から利用料金を引き落とす、ロケーション等を印字したレシートを発行する、本施錠する等の処理を行う。
【００４０】
第２モードのとき、すなわちＩＣカード処理では、ステップＳ３７で利用料金を表示し、ステップＳ３８でＩＣカードＣａからデータの読み取りを行い、ＩＣカードＣａのＩＤコード、チャージデータの情報を読み取り、チャージデータの確認を行う。次に、ステップＳ３９でＩＤコードの確認を行い、ステップＳ４０でＩＤコードが定期契約のものであるか否かを判定する。定期契約でなければステップＳ４１に進み、定期契約であればステップＳ４６に進む。ステップＳ４１では、チャージデータの金額（チャージ金額）が利用料金以上であるか否かを判定する。チャージ金額が利用料金以上（同額も含む）であれば、ステップＳ４２で利用料金をチャージデータから引き落とすとともに、ロッカー番号、ロケーション情報等を印字したレシートを発行し、ステップＳ４３に進む。そして、ステップＳ４３で錠装置２ｂを本施錠し、メインルーチンに復帰する。ステップＳ４１でチャージ金額が利用料金以上でなければ、ステップＳ４４で不足金額の表示を行い、ステップＳ４５で仮施錠を解錠してメインルーチンに復帰する。なお、この預け入れ処理により本施錠したとき、暗証番号やＩＤコードと、該預け入れ処理を行ったロッカーボックスのロッカー番号とは、予め設定されているメモリ１１０に記憶されることはいうまでもない。
【００４１】
一方、ステップＳ４０でＩＤコードが定期契約のものであった場合、ステップＳ４６で該ＩＤコードに対応するロッカーボックスが定期契約中（定期契約中フラグがセット状態）であるか否かを判定し、定期契約中でなければ元のルーチンに復帰し、定期契約中であればステップＳ４７で錠装置２ｂを解錠し、ステップＳ４８で当該処理を行っている定期契約のロッカーボックスの扉スイッチ２ｃのＯＮイベントの有無を監視する。そして、ＯＮイベントが検出されるとステップＳ４３で錠装置２ｂを本施錠して元のルーチンに復帰する。これにより、定期契約時の２回目以降の荷物の預け入れに対する処理が行われる。また、定期契約の期間が切れている場合は、預け入れることができない。
【００４２】
図６の取り出し処理では、ステップＳ５１で、操作表示部１ｂ１に「暗証番号」、「ＩＣカード」、「携帯電話」の表示によるモード選択画面を表示し、ステップＳ５２で操作表示部１ｂ１での画面操作を監視する。なお、所定時間内に操作が無ければ仮施錠を解錠して元のルーチンに復帰する。
【００４３】
画面操作が有ると（モードが選択されると）、ステップＳ５３で第１〜第３モードのいずれのモードが選択されたかを判定する。第１モードが選択されればステップＳ５４で暗証番号の処理を行い、第２モードが選択されればステップＳ５５〜Ｓ６０でＩＣカード処理を行い、第３モードが選択されればステップＳ６１で携帯電話の処理を行う。
【００４４】
なお、ステップＳ５３の第１モードの暗所番号処理では、暗証番号の入力及び認証処理を行って解錠する処理を行う。また、ステップＳ６１の第３モードの携帯電話処理では、携帯電話機ＴのＩＤコードの受信及び認証処理を行い解錠する処理を行う。これらのモードで超過料金が発生している場合は、超過料金の徴収の処理も行う。
【００４５】
第２モードのステップＳ５５ではＩＣカードＣａからデータの読み取りを行い、ＩＤコードの確認を行ってステップＳ５６に進む。ステップＳ５６では、読み取られたＩＤコードが認証されたか判定し、認証されればステップＳ５７に進み、認証されなければそのままメインルーチンに復帰する。ステップＳ５７では、ＩＤコードに対応する取り出し対象のロッカーボックスが定期契約中であるか否かを判定し、定期契約中であれば、ステップＳ６０で錠装置２ｂを解錠して元のルーチンに復帰する。定期契約中でなければ、ステップＳ５８で超過料金が発生しているかを判定し、超過料金が無ければステップＳ６０で錠装置２ｂを解錠して元のルーチンに復帰し、超過料金が発生していれば、ステップＳ５９で料金投入等による超過料金の回収等の処理を行い、ステップＳ６０で錠装置２ｂを解錠して元のルーチンに復帰する。
【００４６】
なお、図４のステップＳ２２でのＩＤ確認、図５のステップＳ３９でのＩＤ確認、図６のステップＳ５５でのＩＤ確認は、それぞれ定期契約のロッカーボックスに対して登録されている全てのＩＤコードの内のいずれかがと一致することが確認されれば認証されたこととしている。また、図３のステップＳ１１の処理により、定期契約で荷物を預けたまま定期契約期間が切れた場合、定期契約中でなくなる（定期契約中フラグがリセットされる）が、この場合には、図６のステップＳ５７からステップＳ５８→Ｓ５９と進んで、超過料金の精算を行うことになる。このようなことを低減するために、定期契約中の場合、適宜のステップにおいて定期契約期限を表示するようにしてもよい。
【００４７】
以上のように、定期契約による利用により、定期契約期間中は料金を支払わないで、すなわち契約時の定額の料金でロッカーを利用できるので、例えば日常利用する駅や施設等のロッカーシステムにおいて、荷物の預け入れ及び取り出しを常時頻繁に行うような場合に便利である。
【００４８】
また、この実施形態によれば、一つのロッカーボックスに対して複数のＩＤコードを登録して、各々登録されたＩＤコードにより預け入れ及び取り出しを行うことができるので、複数の利用者からなるブループで特定のロッカーボックスを使用することができる。したがって、定期的な荷物の受け渡しにロッカーを利用したり、交代で使用する物品を保管するなど、そのグループが占有できる場所が得られるので、利便性が高まる。なお、実施形態では複数のＩＤコードを登録する例について説明したが、定期契約は一人の利用者が利用する場合でもよいことはいうまでもない。
【００４９】
なお、実施形態では、定期利用の契約をしたＩＤコードを管理者が管理者モードにおいてロッカーシステムに登録する場合について説明したが、例えばロッカーシステムをインターネット等の通信で管理するようにし、通信でＩＤコードの登録等を行ってもよい。
【００５０】
また、実施形態では、定期利用の契約を管理会社の窓口で行い、管理会社側でＩＣカードのＩＤコードとともに利用者の住所氏名等の利用者の情報を管理しているので、例えば定期契約のロッカーボックスを不正使用する事などを防止できるので、好適な実施形態となっている。また、しかしながら、この場合にかぎらず、次のようにしてもよい。ロッカーシステムの集中制御装置１において通常の利用手順の中に契約機能を選択できる構成とし、利用者の選択操作によりＩＤコードの登録、利用料金の支払い等の処理を行えるようにしてもよい。
【００５１】
また、通常の利用手順の中に契約更新機能を選択できる構成とし、定期契約期間が切れた場合、あるいは切れる前に、定期契約期間を延長して継続利用を行えるようにしてもよい。この場合は、特に管理会社の窓口で本人確認をして契約するような場合、あるいはＩＣカードのＩＤコードにより利用者を特定できるような場合に適している。
【００５２】
また、定期契約ではなく、複数のＩＤコードを登録する形態（グループ利用の場合）において、通常の利用手順の中に継続利用機能を選択できる構成とし、単位時間で課金を行って、取り出し毎に、その時点での合計料金を支払ってロッカー扉を解錠するような形態にしてもよい。
【００５３】
なお、定期契約用のロッカーボックスは、各ロッカーボックスの中のどのロッカーボックス（複数でもよい）を適用してもよいが、下から２番目など、荷物の出し入れが容易な場所であれば、定期契約の利用者に対してサービス向上につながる。
【００５４】
また、グループで利用する場合の極端な例として、二人で利用する場合、一つのロッカーボックスに対して二人のＩＤコードをそれぞれ登録することになるが、取り出しの時に用いられたＩＤコードが、預け入れの時に用いたＩＤコードとことなる場合、預け入れた利用者と取り出した利用者が異なると判断し、その取り出し直後に両方のＩＤコードを登録抹消してもよい。この場合は、利用者同士が合うことなく任意のタイミングで一回の利用により荷物の受け渡し等を行うのに適している。
【００５５】
また、以上の実施形態では、第２モードに対応してＩＣカードのＩＤコード（解錠用番号）を複数登録するようにしているが、第３モードに対応して携帯電話機の電話番号をＩＤコード（解錠用番号）として複数登録できるようにし、複数の利用者が各々の携帯電話機でロッカーボックスを利用できるようにしてもよい。この場合も、形態電話機の電話番号は機器のＩＤ番号とは異なり、利用者個人のＩＤコードでもあり、管理会社側で携帯電話機の電話番号とともに利用者の住所氏名等の利用者の情報を管理しするので、例えば定期契約のロッカーボックスを不正使用する事などを防止できるので、好適な実施形態となる。なお、このように携帯電話機のＩＤコード（電話番号）を利用する場合の処理は実施形態の第２モードに対応するＩＤコードについての処理を形態電話機のＩＤコードのついての処理とし、第３モードにおいて同様の処理を行えばよいことはいうまでもない。また、携帯電話機で複数のＩＤコードを登録するとき、携帯電話機のアドレス帳等に登録されている電話番号を選択的に、一括して登録できるようにしてもよい。
【図面の簡単な説明】
【００５６】
【図１】本発明の実施形態の貸しロッカーシステムの外観正面図である。
【図２】実施形態における集中制御装置の要部ブロック図である。
【図３】実施形態におけるメイン処理のフローチャートである。
【図４】実施形態における定期初期処理のフローチャートである。
【図５】実施形態における預け入れ処理のフローチャートである。
【図６】実施形態における取り出し処理のフローチャートである。
【符号の説明】
【００５７】
１      集中制御装置
２      ロッカーボックス
１００  制御ユニット
１ｂ１  操作表示部
２ｂ    錠装置
【図１】
2007102274.tif 000003
【図２】
2007102274.tif 000004
【図３】
2007102274.tif 000005
【図４】
2007102274.tif 000006
【図５】
2007102274.tif 000007
【図６】
2007102274.tif 000008